(57)【要約】【課題】ボタンのサイズに関係なく一体的に安定した状態でボタンに装着することができ、しかも部品点数が少なく安価に製造できる装身具を提供する。【解決手段】裏面１４が開口した中空体１２と、中空体１２の裏面１４側にヒンジ１６で連結された留め部材１８とを備え、記留め部材１８に、その端縁２０に開口する差込み口２２を設けた。中空体１２は、扁平な角柱体又は円柱体である。留め部材１８は、中空体１２の開口した裏面１４とほぼ同形状の板体からなり、前記中空体１２にヒンジ１６で連結された側とは反対側の端縁２０に開口する差込み口２２を有するものである。留め部材１８の差込み口２２は、留め部材１８の端縁２０から中心点４２を含む位置まで延在するように形成されている。中空体と前記留め部材との当接部のいずれか一方に溝部を設け、他方に、溝部に圧入される突子を設けている。【選択図】図１
2006081564.tif 000002
【特許請求の範囲】
【請求項１】
衣服のボタンに装着されるものであって、
裏面の開口側から前記ボタンを収容する中空体と、
前記中空体の裏面側にヒンジで連結され、前記衣服とボタンの間に差し込まれる留め部材とを備え、
前記留め部材には、その端縁に開口し、前記ボタンの縫付け糸を挟む差込み口を設けたことを特徴とする装身具。
【請求項２】
請求項１記載の装身具において、
前記中空体は、装着するボタンを収容できる大きさ以上の空洞を備える扁平体であることを特徴とする装身具。
【請求項３】
請求項１記載の装身具において、
前記留め部材は、前記中空体の開口した裏面とほぼ同形状の板体からなり、前記中空体にヒンジで連結された側とは反対側の端縁に開口する差込み口を有するものであることを特徴とする装身具。
【請求項４】
請求項１記載の装身具において、
前記留め部材の差込み口は、留め部材の端縁から中心点を含む位置まで延在するように形成されていることを特徴とする装身具。
【請求項５】
請求項４記載の装身具において、
前記留め部材の差込み口の中心点近傍の縁部に逃げ溝が設けられていることを特徴とする装身具。
【請求項６】
請求項１記載の装身具において、
前記中空体と前記留め部材との当接部近傍のいずれか一方に溝部を設け、他方に、前記溝部に圧入される突子を設けたことを特徴とする装身具。
【請求項７】
請求項３記載の装身具において、
前記中空体の、前記留め部材との当接部に、面取り部を設けたことを特徴とする装身具。
【請求項８】
請求項２記載の装身具において、
前記ボタンが前記中空体に収容されたとき、当該ボタンと中空体の間に形成される空間に配置されるクッションを有することを特徴とする装身具。
【発明の詳細な説明】
【技術分野】
【０００１】
本発明は、衣服等のボタンあるいはボタン類似品（以下、ボタンという。）に装着されて使用される装身具に関する。
【背景技術】
【０００２】
従来、衣服のボタンと結合してカフスボタンとして使用できる装身具が知られている（特許文献１参照）。
この従来の装身具は、２個の単位体から一体的に形成される中空体で、各単位体の一方がヒンジによって連結され、他方が締結溝部と該締結溝部に挟合する締結突起がそれぞれ形成されることで、該中空体が略中央で開閉自在であると共に、該中空体の前面部に装飾部が形成されるというものである。ところで、上記中空体はその前面の中心部を横断する状態で２つに分離された構成とされている。
【０００３】
通常のカフスボタンは、ワイシャツの袖口に開けられた挿入孔に留め金を差し込んで留める方式であり、カフスボタン対応のワイシャツが必要であったり、面倒な取付け作業を要するという難点がある。しかしながら、上記の装身具を使えば、通常のカフスボタンを使わなくてもボタンに装着すればよいという利点がある。
【特許文献１】特開２００４−７３２２２号公報
【発明の開示】
【発明が解決しようとする課題】
【０００４】
しかしながら、上記の装身具には、次のような解決すべき課題があった。
上記の装身具は、中空体がその前面の中心部を横断する状態で２つに分離されたものであるため、最も目立つ中空体の前面に分離線が現われ、また、中空体をボタンにぶら下げるように取付けるため、ボタンと比べて中空体の構造が大きめの場合にはがたついて不安定な状態となる。
【０００５】
本発明は、以上の課題を解決するためになされたもので、装飾面に分離線が現われず、また、ボタンのサイズに関係なく一体的に安定した状態でボタンに装着することができ、しかも部品点数が少なく安価に製造できる装身具を提供することを目的とする。
【課題を解決するための手段】
【０００６】
本発明の各実施例においては、それぞれ次のような構成により上記の課題を解決する。
〈構成１〉
衣服のボタンに装着されるものであって、裏面の開口側から上記ボタンを収容する中空体と、上記中空体の裏面側にヒンジで連結され、上記衣服とボタンの間に差し込まれる留め部材とを備え、上記留め部材には、その端縁に開口し、上記ボタンの縫付け糸を挟む差込み口を設けたことを特徴とする装身具。
【０００７】
この装身具は、衣服に縫付けられたボタンあるいはボタン類似品に装着されるものである。例えば、留め部材を中空体から開け広げた状態で、衣服とボタンとの間に、差込み口がボタンの縫付け糸を挟むように留め部材を差し込む。そして、中空体を留め部材側に回動して閉じることにより、中空体がボタンを収納し包覆した状態でボタンに保持される。中空体の前面及び側面がボタンに代わる装飾面となる。この装身具は、装飾面に分離線が現われず、しかも部品点数が少なく安価に製造できる。
【０００８】
〈構成２〉
構成１記載の装身具において、上記中空体は、装着するボタンを収容できる大きさ以上の空洞を備える扁平体であることを特徴とする装身具。
【０００９】
角柱体としては、三角柱体、四角柱体、五角柱体等があるが、好みに応じて適宜選択される。中空体は、装着するボタンを収容できる大きさ以上の空洞を備えていればよく、全体構成の大きさは任意であり、外面には模様等の装飾が施されてもよい。
【００１０】
〈構成３〉
構成１記載の装身具において、上記留め部材は、上記中空体の開口した裏面とほぼ同形状の板体からなり、上記中空体にヒンジで連結された側とは反対側の端縁に開口する差込み口を有するものであることを特徴とする装身具。
【００１１】
留め部材を中空体の開口面とほぼ同形状とすることにより、中空体と留め部材とが合致し、あたかも一体となったイメージを与え、ボタンを介さずに、衣服等に直接装着したような外観となる。また、留め部材の差込み口が中空体にヒンジで連結された側とは反対側の端縁に開口していれば、差込み口を、容易にボタンの縫付け糸を挟むように差し込むことができる。
【００１２】
〈構成４〉
構成１記載の装身具において、上記留め部材の差込み口は、留め部材の端縁から中心点を含む位置まで延在するように形成されていることを特徴とする装身具。
【００１３】
差込み口が留め部材の中心点を含む位置まで延在するように形成されていることにより、留め部材を、常に、縫付け糸が留め部材の中心点付近に位置するように取付けることができる。すなわち、ボタンの中心と留め部材の中心とがほぼ合致するように取付けることができる。したがって、留め部材をボタンに装着したとき、ボタンのサイズに関係なく、常時、ボタンの中心部に安定して保持され、ボタンに装着されたものであることが外観から分かり難いものとなる。
【００１４】
〈構成５〉
構成４記載の装身具において、上記留め部材の差込み口の中心点近傍の縁部に逃げ溝が設けられていることを特徴とする装身具。
【００１５】
逃げ溝が存在することにより、差込み口が過度に押し広げられても差込み口の奥部に亀裂等が入ることを防止でき、あるいは、差込み口の開閉に柔軟性をもたらし、ボタンへの取付けをスムーズにする。
【００１６】
〈構成６〉
構成１記載の装身具において、上記中空体と上記留め部材との当接部近傍のいずれか一方に溝部を設け、他方に、上記溝部に圧入される突子を設けたことを特徴とする装身具。
【００１７】
溝部と突子により、中空体に対して留め部材を軽くロックする係止部を構成している。突子を溝部に圧入することにより、中空体と留め部材とを着脱可能に係止できる。すなわち、ボタンに装着する際に、留め部材に対して中空体を閉じて突子を溝部に嵌入することにより、ボタンに保持することができ、また、留め部材から中空体を開くことにより、ボタンから容易に取り外すことができる。
【００１８】
〈構成７〉
構成３記載の装身具において、上記中空体の、上記留め部材との当接部に、面取り部を設けたことを特徴とする装身具。
【００１９】
中空体に合致されている留め部材を開け広げようとするときに、中空体の面取り部に爪を入れて抉ることにより、留め部材を中間体から容易に開くことができる。
【００２０】
〈構成８〉
構成２記載の装身具において、上記ボタンが上記中空体に収容されたとき、当該ボタンと中空体の間に形成される空間に配置されるクッションを有することを特徴とする装身具。
【００２１】
ボタンにクッションが密着して、中空体とクッションとボタンと留め部材の境界面に圧力を加え、これらを一体化する効果がある。
【発明を実施するための最良の形態】
【００２２】
以下、本発明の実施の形態を詳細に説明する。
【実施例１】
【００２３】
図１は実施例１の装身具を示す斜視図、図２は同装身具を背面からみた斜視図、図３は同装身具の留め部材を開け広げた状態を示す斜視図である。
これらの図において、装身具１０は、中空体１２と、この中空体１２にヒンジ１６で連結された留め部材１８とを備えている。中空体１２は、その裏面１４が開口した扁平な五角柱体をなしているが、三角、四角等、他の形状の角柱体でもよく、円柱体でもよい。中空体１２の前面には、図１に示すように、文字や絵柄等の模様２４が施されている。模様２４は中空体１２の側面に施されてもよい。
また、中空体１２は、ボタン３２（図３）を収容できる大きさの空洞を備えていればよく、全体構成の大きさは任意である。
【００２４】
留め部材１８は、中空体１２の開口した裏面１４とほぼ同じ大きさの五角形の板体からなり、その一辺が中空体１２の裏面１４側にヒンジ１６で連結されている。留め部材１８には、図２、図３に示すように、ヒンジ１６で連結された側とは反対側の端縁に開口する差込み口２２が設けられている。
【００２５】
この差込み口２２は、留め部材１８の端縁から中心点までを含む位置まで延在するように形成されている。差込み口２２は、留め部材１８の端縁近傍では外側に向かって少し広がる形状に形成され、留め部材１８の中心点では円形に形成されている。差込み口２２はボタン３２の縫付け糸３４を挟むように差し込むものである。
【００２６】
留め部材１８の差込み口２２の中心部に、２つの逃げ溝４４が設けられている。この逃げ溝４４は、スリットとその奥部に連なる円形孔とを設けたものであり、留め部材１８にばね作用をもたらすものである。
すなわち、逃げ溝４４が存在することにより、差込み口２２が過度に押し広げられても差込み口の奥部に亀裂等が入ることを防止でき、あるいは、差込み口２２の開閉に柔軟性をもたらし、後述するボタン３２への取付けをスムーズにする。
【００２７】
中空体１２と留め部材１８との当接部近傍のうち、中空体１２の側面に溝部４６が設けられ、留め部材１８の内面に、溝部４６に圧入される突子４８が設けられている。中空体１２と留め部材１８とは、図１のように閉じたとき、突子４８が溝部４６に圧入されて係止される。
【００２８】
図４に示すように、中空体１２の、留め部材１８との当接部に面取り部５０が設けられている。面取り部５０は、中空体１２の裏面１４の角部を斜めにカットしたもので、中空体１２に合致されている留め部材１８を開け広げるとき、中空体１２の面取り部５０に爪を入れて抉ることにより、留め部材１８を中間体から容易に開くことができるようにするものである。
【００２９】
中空体１２及び留め部材１８は、金属、合成樹脂のいずれの材料で形成されてもよいが、ボタンの縫付け糸に過度の負担がかからないように、特に金属製とする場合には、なるべく軽金属を使用することが望ましい。
【００３０】
図５は、実施例１の装身具１０を衣服のボタンに装着するときの説明図である。図６は同装身具１０を衣服のボタンに装着した状態を示す説明図である。
図５に示すように、装身具１０をワイシャツ２６等の袖口２８のボタン３２に装着する場合は、初めに、中空体１２から開け広げた状態の留め部材１８を、差込み口２２が袖口２８とボタン３２との間の縫付け糸３４を挟むように差し込む。そして、中空体１２を、ヒンジ１６により留め部材１８側に回動して閉じる。
【００３１】
このようにして中空体１２を閉じることにより、図６に示すように装身具１０がボタン３２を収納し包覆した状態で同ボタンに保持される。中空体１２の前面及び側面がボタン３２に代わる装飾面となる。
【００３２】
留め部材１８を中空体１２の開口面とほぼ同一形状とすることにより、中空体１２と留め部材１８とが合致し、看者にあたかも一体となったイメージを与え、ボタン３２を介さずにワイシャツ２６等の袖口２８等に直接装着したような外観となる。
また、留め部材１８の差込み口２２が中空体１２にヒンジ１６で連結された側とは反対側の端縁２０に開口していれば、差込み口２２を縫付け糸３４を挟むように差し込むことが容易になる。
【００３３】
差込み口２２が留め部材１８の中心点を含む位置まで延在するように形成されていることにより、留め部材１８を、常に、ボタン３２の縫付け糸３４が留め部材１８の中心点付近に位置するように取付けることができる。すなわち、ボタン３２の中心と留め部材１８の中心とがほぼ合致するように取付けることができる。
【００３４】
したがって、留め部材１８をボタン３２に装着したとき、ボタン３２のサイズに関係なく、常時、ボタン３２の中心部に安定して保持され、ボタン３２に装着されたものであることが外観から分かり難いものとなる。
【００３５】
突子４８を溝部４６に圧入することにより、中空体１２と留め部材１８とを着脱可能に係止できる。すなわち、ボタン３２に装着する際に、留め部材１８に対して中空体１２を閉じて突子４８を溝部４６に嵌入することにより、ボタン３２に保持することができ、また、留め部材１８から中空体１２を開くことにより、ボタン３２から容易に取り外すことができる。
【００３６】
装身具１０は、ワイシャツ２６の袖口２８のボタン３７に取付けることにより、カフスボタンの代わりとしても利用できる。また、装身具１０は、図７に示すように、装身具１０をワイシャツ２６の前立て３６のボタン３７に装着したり、図８に示すように、装身具１０をワイシャツ２６の衿３８のボタン３９に装着することもできる。例えば、中空体をワイヤレスマイクにすると、マイクを体裁良くボタンに止めてアナウンスができるから、放送局等でも利用できる。アンテナ線は留め部材からボタンホールを通じて衣服の裏側に垂らせば外部からマイクが見えないので、スタジオや舞台等で広く利用できる。
【００３７】
図９は、上記装身具の中空体の変形例を示す図で、（ａ）〜（ｃ）はそれぞれ別の実施例を示す上面図、（ｄ）〜（ｇ）はさらにそれぞれ別の実施例を示す側面図である。
図の（ａ）〜（ｃ）に示すように、中空体５１、中空体５２、中空体５３は、上から見て、それぞれ円形、四角形、星形というように、自由な形状にデザインすることができる。もちろん自由な模様を施すことができる。また、側面から見たときに、図の（ｄ）に示すように長方形のものだけでなく、（ｅ）や（ｆ）に示すように皿型のものや、（ｇ）に示すように船底型のもの等にすることができる。このとき、留め部材７１や、留め部材７２や、留め部材７３や、留め部材７４の周囲を、それぞれ中空体５４や、中空体５５や、中空体５６や、中空体５７ですっかり覆うことができるから、どこから見ても後付されたものと分からないようにすることもできる。
【００３８】
一般に、カフスボタンは片手で簡単に装着できることが好ましい。本発明の装身具の構造は、片手操作に適している。即ち、始めにボタンと衣服の生地の間の縫い付け糸に留め部材を装着すれば、もう、装身具は落下しないから、ゆっくり中空体を被せて装着は終了する。微妙な位置調節や操作は一切不要である。
また、位置決めをしてから中空体で蓋をするという構造なので、最適な場所に位置決めがしやすい。中空体であるから全体を十分に軽量化することができる。また、位置決めをして全体を支持するための留め部材と装飾のための中空体をそれぞれ別々に制作することができるので、デザインも素材もそれぞれ自由に選択できる。中空体を金や銀等の貴金属で構成してもよいし、プラスチックにより安価に構成することもできる。
【００３９】
図１０は、本発明の装身具のさらに別の変形例を示す説明図である。
図の装身具は、中空体６１の裏面に、クッション６２を配置している。このクッション６２は、例えば、ゴムやスポンジのような柔軟で軽い弾性体からなる。洋服のボタン６５にこの装身具を装着するときは、まず、ボタン６５の下に留め部材６４を差し込んで、留め部材６４で縫付け糸６６を挟み込む。これで、全体の位置決めをした後に、ヒンジ６３を軸にして、中空体６１を矢印７５方向に回動させて、留め部材６４と中空体６１をはめあわせる。こうして、図の（ａ）の状態から（ｂ）の状態になる。
【００４０】
このとき、ボタン６５にクッション６２が密着して、中空体６１とクッション６２とボタン６５と留め部材６４の境界面に圧力を加える。これによりこれらが一体化し、中空体６１をしっかりと服に密着させることができる。留め部材６４とボタン６５の位置関係により位置決めをしてから留め部材６４と中空体６１をはめあわせて、ボタン６５と中空体６１等を一体化するので、位置決めが正確に容易にでき、その後しっかりと位置固定ができるという効果がある。即ち、もちろん、中空体６１の内部でボタン６５がふらつかない程度のサイズ合わせができていれば、こうした構造は不要である。
【図面の簡単な説明】
【００４１】
【図１】実施例１の装身具を示す斜視図である。
【図２】同装身具を背面からみた斜視図である。
【図３】同装身具の留め部材を開け広げた状態を示す斜視図である。
【図４】図３の一部を拡大して示す斜視図である。
【図５】同装身具を衣服のボタンに装着するときの説明図である。
【図６】同装身具を衣服のボタンに装着した状態を示す説明図である。
【図７】同装身具をワイシャツの前立てのボタンに装着した状態を示す説明図である。
【図８】同装身具をワイシャツの衿のボタンに装着した状態を示す説明図である。
【図９】（ａ）〜（ｃ）はそれぞれ別の実施例を示す上面図、（ｄ）〜（ｇ）はさらにそれぞれ別の実施例を示す側面図である。
【図１０】本発明の装身具のさらに別の変形例を示す説明図である。
【符号の説明】
【００４２】
１０  装身具
１２  中空体
１４  裏面
１６  ヒンジ
１８  留め部材
２０  端縁
２２  差込み口
２４  模様
２６  ワイシャツ
２８  袖口
３２  ボタン
３４  縫付け糸
３６  前立て
３７  ボタン
３８  衿
３９  ボタン
４４  逃げ溝
４６  溝部
４８  突子
５０  面取り部
【図１】
2006081564.tif 000003
【図２】
2006081564.tif 000004
【図３】
2006081564.tif 000005
【図４】
2006081564.tif 000006
【図５】
2006081564.tif 000007
【図６】
2006081564.tif 000008
【図７】
2006081564.tif 000009
【図８】
2006081564.tif 000010
【図９】
2006081564.tif 000011
【図１０】
2006081564.tif 000012